(57)【特許請求の範囲】
【請求項１】
金属枠の室内側に樹脂枠を設けてなる枠体と、金属框の室内側に中空部を有する樹脂框を設けてなる障子とを備え、
縦枠の内周面から障子の樹脂框の中空部外周面に当接する気密材を設けるとともに、樹脂枠から障子の樹脂框の室内側面に当接する気密材を設けることで、
枠体と障子との間の樹脂框の室内側に空間を形成してある
ことを特徴とする建具。
【請求項２】
金属枠の室内側に樹脂枠を設けてなる枠体と、金属框の室内側に中空部を有する樹脂框を設けてなる障子とを備え、
縦枠の内周面の室内側に外周側に凹む凹部を設け、凹部の室外側位置から障子の樹脂框の外周面に当接する気密材を設けるとともに、樹脂枠から障子の樹脂框の室内側面に当接する気密材を設けることで、枠体と障子との間の樹脂框の室内側に空間を形成してある
ことを特徴とする建具。
【発明の詳細な説明】
【技術分野】
【０００１】
金属枠の室内側に樹脂枠を取付けてなる枠体と、枠体に開閉自在に支持される障子とを備える建具に関する。
【背景技術】
【０００２】
近年、金属枠の室内側に樹脂枠を取付けた断熱性能を有する建具が知られている。（特許文献１）
【先行技術文献】
【特許文献】
【０００３】
【特許文献１】特開２００４−２８５７４９号
【発明の概要】
【発明が解決しようとする課題】
【０００４】
上記先行技術文献のような断熱性能を有する建具においては、枠体の室内側部分の室外側面に気密材を配置して、障子の室内側面に当接させて、枠体と障子戸の間の気密を行っていた。
しかしながら、例えば上記先行技術文献のように枠体と障子との間に障子を開閉自在に支持するヒンジ等金属部材が存在する場合には、熱は金属部材を伝わって室内側付近にまで伝達されることがあり、断熱性の低下につながっていた。
また、障子の室外側の室内側面に配置した気密材を枠に当接させて、気密性を高めていたが、劣化など何らかの事情で、この気密ラインが破れた場合にも、熱が室内側付近にまで伝達されて、断熱性の低下につながっていた。
【０００５】
本発明は、上記の事情を鑑み、枠体と障子との間のさらなる断熱性能の向上をはかることを目的とする。
【課題を解決するための手段】
【０００６】
上記課題を解決するために請求項１に係る発明は、金属枠の室内側に樹脂枠を設けてなる枠体と、金属框の室内側に中空部を有する樹脂框を設けてなる障子とを備え、縦枠の内周面から障子の樹脂框の中空部外周面に当接する気密材を設けるとともに、樹脂枠から障子の樹脂框の室内側面に当接する気密材を設けることで、枠体と障子との間の樹脂框の室内側に空間を形成してあることを特徴とする。
請求項２に係る発明は、金属枠の室内側に樹脂枠を設けてなる枠体と、金属框の室内側に中空部を有する樹脂框を設けてなる障子とを備え、縦枠の内周面の室内側に外周側に凹む凹部を設け、凹部の室外側位置から障子の樹脂框の外周面に当接する気密材を設けるとともに、樹脂枠から障子の樹脂框の室内側面に当接する気密材を設けることで、枠体と障子との間の樹脂框の室内側に空間を形成してあることを特徴とする。
【発明の効果】
【０００７】
建具における、枠体と障子との間の断熱性能の向上をはかることができる。
【図面の簡単な説明】
【０００８】
【図１】本発明の実施形態に係る建具の縦断面図である。
【図２】本発明の実施形態に係る建具の横断面図である。
【図３】本発明の実施形態に係る建具の縦枠の拡大横断面図である。
【発明を実施するための形態】
【０００９】
−勝手口ドアの構成−
本発明の実施形態の建具について、図１、２に示す勝手口ドアを用いて説明する。
（全体の構成）
図１、２に示すように、本発明の実施形態の勝手口ドアは、建物開口部に設置される、上枠１１、下枠１２及び左、右縦枠１３，１４により構成される枠体１と、上框２１、下框２２、及び左、右縦框２３，２４を四周に組んでその内周にガラス等のパネル体が嵌め込まれて構成されるドア本体２とからなる。
ドア本体２はヒンジ７１により枠体１に開閉自在に取り付けられており、枠体１の上枠１１とドア本体２の上框２１との間には、ドアクローザ７２が配置されている。
【００１０】
（窓枠の構成）
枠体１を構成する上枠１１、下枠１２及び左、右縦枠１３，１４は、アルミ等の金属材料からなる金属枠の室内側に合成樹脂により形成された樹脂枠を設けて形成されている。
上枠１１を構成する金属上枠１１１は、断面中空の上枠本体部１１１ａの室内側に室内側部分１１１ｂが延設されて構成され、室内側部分１１１ｂの内周面には嵌合溝１１１ｃが形成されている。
上枠１１を構成する樹脂上枠１１２は、断面中空の樹脂枠本体部１１２ａと、樹脂枠本体部１１２ａの室外側外周に形成される嵌合部１１２ｂとにより構成されており、樹脂枠本体部１１２ａの室内側にはアングル部が設けられている。
【００１１】
そして、樹脂上枠１１２は、その嵌合部１１２ｂを金属上枠１１１の嵌合溝１１１ｃに嵌合するとともに、樹脂枠本体部１１２ａの内周側から金属上枠１１１に対してビス等の連結手段（図示は無し。）により取付けられ、樹脂上枠１１２が取付けられた上枠１１をネジ等の固定手段（図示は無し）により、建物開口部に固定されている。
樹脂枠本体部１１２ａの内周側には、金属上枠１１１と樹脂上枠１１２を連結するためのネジ等の連結手段や、上枠１１を建物開口部に固定するためのビス等の固定手段（図示せず）の頭部が収容できるように溝部１１２ｃが形成されており、溝部１１２ｃの開口部には、樹脂蓋１１２ｄが嵌め込まれ、連結手段や固定手段の頭部が室内側に露出することを防止している。また、樹脂上枠１１２の樹脂枠本体部１１２ａの室外側面には、気密材保持溝が形成され、ドア本体２の上框２１の室内側面に当接して枠体１とドア本体２との間を気密する気密材ｓが保持されている。
【００１２】
下枠１２は、建物躯体に配置されたアンカー部材７３に固定される金属下枠１２１と、金属下枠１２１の室内側内周面に嵌合固定される樹脂下枠１２２とから構成されている。
金属下枠１２１は、断面中空の下枠本体部１２１ａの室外側に水切り１２１ｂが延設されてなり、その室内側内周面には樹脂下枠１２２を嵌合固定するための嵌合凹部１２１ｃが形成されている。
【００１３】
樹脂下枠１２２は、断面中空の樹脂下枠本体部１２２ａの下方に、金属下枠１２１の嵌合凹部１２１ｃに嵌合する嵌合部１２２ｂが形成されてなり、樹脂下枠本体部１２２ａの室内側にアングル部が延設されている。
そして、嵌合部１２２ｂを金属下枠１２１の嵌合凹部１２１ｃに嵌合して、樹脂下枠１２２のアングル部を建物躯体の開口部下面の木製等の額部に載置した状態で、木ねじ等により固定される。
樹脂下枠本体部１２２ａの室外側面は、金属下枠１２１の嵌合凹部１２１ｃ上方で室外側に露出して気密材保持溝が形成され、ドア本体２の下框２２の室内側面に当接して枠体１とドア本体２との間を気密する気密材ｓが保持されている。
【００１４】
左、右縦枠１３、１４は、建物開口部に固定される金属左縦枠１３１及び金属右縦枠１４１と、金属左縦枠１３１，金属右縦枠１４１の室内側内周面に取付けられる左右の樹脂縦枠とからなる。
金属左縦枠１３１及び金属右縦枠１４１は、断面中空の本体部１３１ａ，１４１ａと本体部１３１ａ，１４１ａの室内側に延設する樹脂枠取付部１３１ｂ，１４１ｂとを備えている。
左右の樹脂縦枠は、金属左縦枠１３１，金属右縦枠１４１の樹脂枠取付部１３１ｂ，１４１ｂに取付けられる主樹脂左縦枠１３２，主樹脂右縦枠１４２と、主樹脂左縦枠１３２，主樹脂右縦枠１４２に係止される副樹脂左縦枠１３３，副樹脂右縦枠１４３とから構成されている。
【００１５】
主樹脂左縦枠１３２，主樹脂右縦枠１４２は、中空本体部１３２ａ，１４２ａと、中空本体部１３２ａ，１４２ａの内周面から内周方向に延設される気密材保持片１３２ｂ，１４２ｂと、中空本体部１３２ａ，１４２ａの室内側に設けられる係合溝１３２ｃ，１４２ｃとから構成されている。
副樹脂左縦枠１３３，副樹脂右縦枠１４３は、中空本体部１３３ａ，１４３ａと、中空本体部１３３ａ，１４３ａの外周面にされ、主樹脂左縦枠１３２，主樹脂右縦枠１４２の係合溝１３２ｃ，１４２ｃに係合される係合爪部１３３ｂ，１４３ｂと、中空本体部１３３ａ，１４３ａの室外側内周に設けられ、主樹脂左縦枠１３２，主樹脂右縦枠１４２の気密材保持片１３２ｂ，１４２ｂに係合する係合部１３３ｃ，１４３ｃとから構成されている。
【００１６】
そして、主樹脂左縦枠１３２，主樹脂右縦枠１４２を、金属左縦枠１３１，金属右縦枠１４１の樹脂枠取付部１３１ｂ，１４１ｂにビス等を用いて固定したのち、金属左縦枠１３１，金属右縦枠１４１の外周に設けられた取付片１３１ｃ，１４１ｃを建物開口部にネジ等の固定手段により固定するとともに、建物開口部の内周側からネジ等の固定手段により固定することで、左、右縦枠１３，１４が建物開口部に固定される。
【００１７】
なお、金属縦枠に取付けられた主樹脂左縦枠１３２，主樹脂右縦枠１４２の見込み壁にはネジ等の固定手段が貫通する孔部を設けて、ネジ等の固定手段によって左右の金属縦枠のみを建物開口部に固定することが、施工後のメンテナンス性の点から好ましいが、金属縦枠と主樹脂縦枠とを一緒に建物開口部に固定するようにすることも可能である。
さらに、建物開口部に固定された主樹脂左縦枠１３２，主樹脂右縦枠１４２の係合溝１３２ｃ，１４２ｃに係合爪部１３３ｂ，１４３ｂを係合し、気密材保持片１３２ｂ，１４２ｂに係合部１３３ｃ，１４３ｃを係合することで、主樹脂左縦枠１３２，主樹脂右縦枠１４２に副樹脂左縦枠１３３，副樹脂右縦枠１４３を強固に取り付けることができる。
【００１８】
そして、主樹脂左縦枠１３２，主樹脂右縦枠１４２の室外側面には気密材ｓ１が設けられ、ドア本体２の左、右縦框２３，２４の室内側面に当接して枠体１とドア本体２との間を気密している。
【００１９】
（ドア本体の構成）
ドア本体２を構成する上框２１、下框２２及び左、右縦框２３，２４は、アルミ等の金属材料からなり中空の矩形形状をなす金属框と、金属框の室内側面に配置される樹脂框とから構成され、樹脂枠はいずれも複数の中空部を備えている。
【００２０】
ドア本体２の上框２１を構成する金属上框２１１は、ガラス間口の外周に配置されて断面中空形状をなす中空本体部２１１ａと、中空本体部２１１ａの室外面の上下端をそれぞれ延設してなる室外側壁２１１ｂとからなり、室外側壁２１１ｂは内周方向に延設してガラス間口外周壁を構成し、外周方向に延設されて金属上枠１１１の室外面に設けた気密材が当接する気密材当接片を形成している。
【００２１】
上框２１を構成する樹脂上框２１２は、見付け方向に複数の中空部が配置されてなる室内側部の室外側面に隔壁を設けてなる中空本体部２１２ａと、中空本体部２１２ａの内周に延びるガラス間口部とからなる。
そして、中空本体部２１２ａの室外側の内周端及び外周端には、それぞれ係止部が設けられ、ガラス間口の見込み方向略中央位置付近において、金属上框２１１と係合して上框２１を形成している。
金属上框２１１と樹脂上框２１２が係合することにより、樹脂上框２１２の中空本体部２１２ａの室外側面に設けられた隔壁の先端が金属上框２１１の室内側面に当接もしくは近接することにより、金属上框２１１の室内側に中空部が形成されている。
【００２２】
ドア本体２を構成する下框２２は、上框２１の構成と略同一であるので、下框２２の構成についての説明は省略する。
【００２３】
ドア本体２を構成する左縦框２３の金属左縦框２３１は、ガラス間口の室外側外周に配置される中空形状をなす中空本体部２３１ａを有しており、左縦框２３を構成する樹脂左縦框２３２は、見付け方向に複数の中空部が配置されてなる室内側部の室外側面に隔壁を設けてなる中空本体部２３２ａを有し、金属左縦框２３１の室内側面に係合固定されている。
そして、金属左縦框２３１の外周面と左縦枠１３の金属左縦枠１３１がヒンジ７１により連結され、ドア本体２が枠体１に対して開閉自在に支持されている。
【００２４】
ドア本体２を構成する右縦框２４の金属右縦框２４１は、ガラス間口の室外側外周に配置される中空形状をなす中空本体部２４１ａを有し、中空本体部２４１ａの内部には、ハンドル７４により操作されるラッチ機構７５が配置されており、ハンドル７４の操作によりドアの開閉を可能にしている。
右縦框２４を構成する樹脂右縦框２４２は、見付け方向に複数の中空部が配置されてなる室内側部の室外側面に隔壁を設けてなる中空本体部２３２ａを有し、金属左縦框２３１の室内側面に係合固定されている。
【００２５】
−障子と枠との間の断熱空間−
本実施形態に示すような勝手口ドアにおいて、特に、左縦枠１３においては枠体と障子との間にヒンジ７１が存在するために、障子の室外側を気密する気密材を上下方向にわたって配置することが難しく、左縦枠１３の室内側に配置された気密材により左縦枠１３と左縦框２３との間を気密して、断熱を図っている。
しかしながら、室内側に設けた気密材のみでは、左縦枠１３と左縦框２３との間には気密材の室外側にまで外気が自由に入り込み、断熱性能が十分であるとはいえなかった。
【００２６】
そこで、本実施形態に示す勝手口ドアでは、ヒンジ等が配置される枠体と障子との間の空間の断熱性能を向上するために、左縦枠１３の内周面に樹脂左縦框２３２の外周面に当接する気密材を配置して、枠体１とドア本体２との間の樹脂縦框の室内側に密閉された断熱空間を形成して断熱性を高めている。さらに、左縦枠１３と左縦框２３との室外側の間隔ｄを１０ｍｍ以下に形成することにより、左縦枠１３と左縦框２３との間に半密閉空間を形成して外気の侵入を抑制している。
以下、本実施形態の勝手口ドアの断熱空間による断熱構造について、図３を示して、詳細に説明する。
【００２７】
左縦枠１３の金属左縦枠１３１の中空の本体部１３１ａは、左縦枠１３の見込み方向略中央位置において、内周面が外周方向に変化して段差部１３１ｄが形成されており、金属左縦枠１３１の樹脂枠取付部１３１ｂに主樹脂左縦枠１３２が取り付けられることで、段差部１３１ｄ及び主樹脂左縦枠１３２の内周面により、左縦枠１３の室内側内周面に外周方向に凹む凹部ａが形成される。
【００２８】
本体部１３１ａの段差部１３１ｄの室内側面には気密材保持部が形成されており、気密材保持部には、内周方向にヒレ片を伸ばす気密材ｓ２が保持されて、その先端が後述する左縦框２３の室内側に存在する樹脂左縦框２３２の外周面に当接することで、枠体１とドア本体２との間の樹脂左縦框２３２の室内側に、空間Ａを形成している。
その空間Ａは、主樹脂左縦枠１３２に保持された気密材ｓ１がドア本体２の樹脂左縦框２３２の室内側面に当接することで、枠体１とドア本体２との間と室内空間との間に配置される独立した密閉空間となり、断熱性能を向上させることができる。
【００２９】
そして、空間Ａは、段差部１３１ｄにより形成される凹部により、枠体１とドア本体２との間の空間よりも見付け方向に広い断熱空間となっているので、気密材の隙間から浸入する空気の勢いが空間Ａにより弱まり、それ以上の室内側への浸入を防止して、空気による熱の直接的な伝達を防止することができる。
また、左縦框１３の金属左縦框２３１の中空本体部２３１ａの室外壁は外周方向に延設され、その外周端と金属左縦枠１３１の内周との間隔ｄが１０ｍｍ以下に形成されるとともに、奥行きが１０ｍｍ以上であるので、左縦框２３の外周面と左縦枠１３との内周面との間には半密閉空間が形成され、密閉空間Ａの室外側において、外気の流入が抑制されている。
【００３０】
さらに、主樹脂左縦枠１３２に保持された気密材ｓ１と、段差部１３１ｄの気密材保持部に保持された気密材ｓ２が当接する樹脂左縦框２３２は、見付け方向に複数の中空部からなる中空本体部２３２ａにより形成され、その外周側に金属左縦框２３１よりも外周に突出して形成される小中空部２３２ｂが形成されており、気密材ｓ1及び気密材ｓ２は小中空部２３２ｂに当接している。
気密材ｓ1及び気密材ｓ２が当接する樹脂左縦框２３２の外周部を小中空部２３２ｂとすることにより、空間Ａを形成して断熱性能を向上させながら、小中空部２３２ｂによって、枠体の縦枠と障子の縦框との間の空間からの室内方向に向けて伝達される熱についても、抑制することができる。
【００３１】
以上のように、枠体１とドア本体２との間の樹脂左縦框２３２の室内側に、密閉空間Ａを形成しているので、断熱性の向上を図ることができる。
さらに、枠体の縦枠と障子の縦框との間に、その開口部の間隔ｄが１０ｍｍ以下で間隔ｄ以上の奥行きを有する半密閉空間を形成するとともに、半密閉空間の室内側に、密閉空間を形成したので、半密閉空間で空気の対流を抑制しながら、その室内側における空気の対流を分断して熱の伝達を抑制することができ、さらなる断熱性の向上を図ることができる。
そして、密閉空間を形成する樹脂框に外周に小中空部を設けることにより、枠体の縦枠と障子の縦框との間の空間から直接室内側に向かう熱の伝達を抑制することができる。
さらに、密閉空間には、外周に向かって凹む凹部ａが形成されているので、枠体の縦枠と障子の縦框との間の半密閉空間の見付け寸法よりも大きな見付け寸法となり、枠体と障子との間から半密閉空間に空気が流れ込んだとしても、その流れがさらに室内側に侵入する際には、大きな密閉空間により弱められて、室内への流入を防止することができ、断熱性をさらに向上することができる。
【００３２】
なお、以上の説明においては、本発明を勝手口ドアの実施例を用いて説明したが、本発明の建具に用いられる断熱構造は、勝手口ドアのみを対象とするものではなく、引き違い窓を含めた各種の建具に採用することができる。
【符号の説明】
【００３３】
１        ：枠体
２        ：ドア本体
１１      ：上枠
１１１    ：金属上枠
１１１ａ  ：上枠本体部
１１１ｂ  ：室内側部分
１１１ｃ  ：嵌合溝
１１２    ：樹脂上枠
１１２ａ  ：樹脂枠本体部
１１２ｂ  ：嵌合部
１１２ｃ  ：溝部
１１２ｄ  ：樹脂蓋
１２      ：下枠
１２１    ：金属下枠
１２１ａ  ：下枠本体部
１２１ｂ  ：水切り
１２１ｃ  ：嵌合凹部
１２２    ：樹脂下枠
１２２ａ  ：樹脂下枠本体部
１２２ｂ  ：嵌合部
１３      ：左縦枠
１３１    ：金属左縦枠
１３１ａ  ：本体部
１３１ｂ  ：樹脂枠取付部
１３１ｃ  ：取付片
１３１ｄ  ：段差部
１３２    ：主樹脂左縦枠
１３２ａ  ：中空本体部
１３２ｂ  ：気密材保持片
１３２ｃ  ：係合溝
１３３    ：副樹脂左縦枠
１３３ａ  ：中空本体部
１３３ｂ  ：係合爪部
１３３ｃ  ：係合部
１４      ：右縦枠
１４１    ：金属右縦枠
１４１ａ  ：本体部
１４１ｂ  ：樹脂枠取付部
１４１ｃ  ：取付片
１４２    ：主樹脂右縦枠
１４２ａ  ：中空本体部
１４２ｂ  ：気密材保持片
１４２ｃ  ：係合溝
１４３    ：副樹脂右縦枠
１４３ａ  ：中空本体部
１４３ｂ  ：係合爪部
１４３ｃ  ：係合部
２１      ：上框
２１１    ：金属上框
２１１ａ  ：中空本体部
２１１ｂ  ：室外側壁
２１２    ：樹脂上框
２１２ａ  ：中空本体部
２２      ：下框
２３      ：左縦框
２３１    ：金属左縦框
２３１ａ  ：中空本体部
２３２    ：樹脂左縦框
２３２ａ  ：中空本体部
２３２ｂ  ：小中空部
２４      ：右縦框
２４１    ：金属右縦框
２４１ａ  ：中空本体部
２４２    ：樹脂右縦框
４３      ：副樹脂右縦枠
７１      ：ヒンジ
７２      ：ドアクローザ
７３      ：アンカー部材
７４      ：ハンドル
７５      ：ラッチ機構
ａ        ：凹部
Ａ        ：空間
ｓ        ：気密材
ｓ１      ：気密材
ｓ２      ：気密材
【図１】
0006496164.tif 000002
【図２】
0006496164.tif 000003
【図３】
0006496164.tif 000004